(57)【要約】【課題】杖の先周辺の特定範囲内に存在している物を簡易な手段により特に明るく照らすことを可能となして一層安全に歩行できるものとなす。【解決手段】棒状体１の先端部に滑り止め冠部材３を止着され、基端部に把手部２を固設された杖であって、前記棒状体１の先端から基端側へ向かう特定長さ範囲箇所６ｃを導光照明棒体６で形成し、この導光照明棒体６が樹脂材の肉厚個所に光ファイバー８を杖長手方向に向けて埋設したものとなす。【選択図】図１
2005230487.tif 000002
【特許請求の範囲】
【請求項１】
棒状体の先端部に滑り止め冠部材を止着され、基端部に把手部を固設された杖であって、前記棒状体の先端から基端側へ向かう特定長さ範囲箇所を導光照明棒体で形成し、この導光照明棒体が樹脂棒となされていて該樹脂棒の肉厚個所に周面を鏡面となされ且つ周面の中心を杖長手方向へ向けられ且つ周面に杖長手方向へ向かう凹凸を形成された直状透孔を形成されていることを特徴とする照明杖。
【請求項２】
棒状体の先端部に滑り止め冠部材を止着され、基端部に把手部を固設された杖であって、前記棒状体の先端から基端側へ向かう特定長さ範囲箇所を導光照明棒体で形成し、この導光照明棒体が樹脂棒となされていて該樹脂棒の肉厚個所に光ファイバーを杖長手方向へ向けて埋設されていることを特徴とする照明杖。
【請求項３】
前記導光照明棒体の上端面側にＬＥＤを設けたことを特徴とする請求項１又は２記載の照明杖。
【請求項４】
前記滑り止め冠部材の中心部に杖長手方向へ向かう先端透孔を形成し、前記ＬＥＤの光が前記導光照明棒体の照明部の全周面から放射されると共に前記光ファイバー及び前記先端透孔を通じて前記棒状体の先方へ投射される構成となされていることを特徴とする請求項２又は３記載の照明杖。
【請求項５】
前記導光照明棒体の照明部の長さが凡そ５ｃｍ〜１０ｃｍ程度となされていることを特徴とする請求項１、２、３又は４記載の照明杖。
【請求項６】
前記棒状体が長さ調整可能となされた直状の管部材で形成されており、この管部材の先側の内孔に前記導光照明棒体の上部が嵌挿されていることを特徴とする請求項１、２、３、４又は５記載の照明杖。
【発明の詳細な説明】
【技術分野】
【０００１】  本発明は、杖の一部から光りを放射し、暗い所でも足元を明るく照らし障害物を避けて歩行でき、他人からも認識され易くて交通事故などから身を護ることのできる照明杖に関するものである。
【背景技術】
【０００２】  棒状体の先端部に滑り止め冠部材を止着され、基端部に把手部を固設された杖であって、前記棒状体の周面箇所の一部を発光させるようになされたものは既に提案されている（例えば、特許文献１参照）。【０００３】
【特許文献１】特開２００２−２６２９１３号公報
【発明の開示】
【発明が解決しょうとする課題】
【０００４】  上記した従来の杖は、前記棒状体の周面箇所が発光するだけであり、暗い場所において他人に対し杖使用者の存在を認識させる上では有効であるものの、物を明るく照らしたいという要請には必ずしも十分なものとなっていないのが実状である。
本発明は上記要請に合理的に応じることのできる照明杖を提供することを目的としている。
【課題を解決するための手段】
【０００５】  上記目的を達成するため、第一の発明に係る照明杖は、請求項１に記載したように、棒状体の先端部に滑り止め冠部材を止着され、基端部に把手部を固設された杖であって、前記棒状体の先端から基端側へ向かう特定長さ範囲箇所を導光照明棒体で形成し、この導光照明棒体が樹脂棒となされていて該樹脂棒の肉厚個所に周面を鏡面となされ且つ周面の中心を杖長手方向へ向けられ且つ周面に杖長手方向へ向かう凹凸を形成された直状透孔を形成されているものである。
【０００６】  第二の発明に係る照明杖は、請求項２に記載したように、棒状体の先端部に滑り止め冠部材を止着され、基端部に把手部を固設された杖であって、前記棒状体の先端から基端側へ向かう特定長さ範囲箇所を導光照明棒体で形成し、この導光照明棒体が樹脂棒となされていて該樹脂棒の肉厚個所に光ファイバーを杖長手方向へ向けて埋設されているものである。
【０００７】  この発明は具体的には、次のようになすのがよい。
即ち、請求項３に記載したように、前記導光照明棒体の上端面側に発光ダイオード（以下、「ＬＥＤ」と言う）を設けた構成となす。
【０００８】  また請求項４に記載したように、前記滑り止め冠部材の前記棒状体長手方向の中心部に先端透孔を形成し、前記ＬＥＤの光が前記導光照明棒体の照明部の全周面から放射されると共に前記光ファイバー及び前記先端透孔を通じて前記棒状体の先方へ投射される構成となす。
【０００９】  また請求項５に記載したように、前記導光照明棒体の光放射周面部の長さが凡そ５ｃｍ〜１０ｃｍ程度となされている構成となす。
【００１０】  さらには請求項６に記載したように、前記棒状体が長さ調整可能となされた直状の管部材で形成されており、この管部材の先側の内孔に前記導光照明棒体の上部が嵌挿されている構成となす。
【発明の効果】
【００１１】  上記発明によれば、次のような効果が得られる。
即ち、請求項１記載のものによれば、前記導光照明棒体が発光源の発した光を受け入れてその周面個所の全体が発光し、また前記直状透孔が発光源の発した光を効率的に杖の先方へ放射するものとなり、したがって暗い場所での杖使用中において他人に杖使用者の存在を明確に認識させることができると共に、杖の使用中においても便利に滑り止め冠部材の先端面から比較的大きな明度の光を投射させることができ、必要に応じ特定物を特に明るく照らすことができるのである。
【００１２】  また請求項２記載のものによれば、前記光ファイバーが発光源の発した光を効率的に杖の先方へ放射するものとなり、請求項１記載の発明と同様な効果が得られる。
【００１３】  請求項３記載のものによれば、前記ＬＥＤの発した光が前記導光照明棒体に受け入れられてこれの周面個所の全体が発光すると共に前記光ファイバーに導かれて前記滑り止め冠部材の先端面から投射されるものとなり、請求項１又は２に記載した発明の場合と同一の効果を少ない消費電力で効率的に得ることができる。また前記ＬＥＤが前記導光照明棒体の上側に存在するため、前記導光照明棒体の下側に存在させる場合に較べて、杖使用中における土との接触の際の衝撃による前記ＬＥＤに対する影響が緩和され損傷し難くなる。
【００１４】  請求項４記載のものによれば、前記ＬＥＤの光が前記光ファイバー及び、前記滑り止め冠部材の先端透孔を通じて前記棒状体の先方へ投射されるため、前記ＬＥＤの光を簡易な構造により前記滑り止め冠部材の先端面からさらに先方へ効率的に放射させることができる。
【００１５】  請求項５記載のものによれば、前記光放射周面部が凡そ５ｃｍ〜１０ｃｍ程度となされているため、前記ＬＥＤが凡そ４ボルト３ワット程度のものであっても前記光放射周面部の周囲を適当な明るさで照らすことができ、また前記導光照明棒体が杖使用中にこれに付与される衝撃に対し十分に強いものとなる。
【００１６】  請求項６記載のものによれば、管部材の中にＬＥＤや電力供給源などを便利に組み込めると共に杖の長さが簡易構造により調整でき、さらには前記導光照明棒体の装着が簡便に行えるものとなる。
【発明を実施するための最良の形態】
【００１７】  図１は本発明に係る照明杖の一実施例を示す図、図２は前記照明杖の棒状体の一部を示す図、図３は前記照明杖の導光照明棒体を示す図である。
これらの図において、１は棒状体であり、２は棒状体１の基端部に固設された把手部、そして３は棒状体１の先端部に止着された滑り止め冠部材である。【００１８】  棒状体１についてさらに詳細に説明すると、比較的長いアルミ材製の上側管部材４と、この上側管部材４の先側に密状且つ出入り可能に内挿されたアルミ材製の下側管部材５と、この下側管部材５の先側に密状に内嵌固定された導光照明棒体６と、上側管部材４の上端から導光照明棒体６の下端までの長さＬ１を変更調整するための長さ調整手段６とを備えたものとなされている。【００１９】  ここに、導光照明棒体６は、図２に示すように、アクリル系樹脂材７からなる丸棒部材となされ肉厚部に長手方向へ向かう複数本の光ファイバー８を同心円上の等角配置状に埋設され上部特定長さ個所６ａを幾分細径となされたもので、上端面６ｂから先方ｆ１へ向けて光が入射されると、この光の一部が光ファイバー８の内孔を通じて先方ｆ１へ進行し、その他がアクリル樹脂材７の肉厚部を通じて先方ｆ１へ進行すると共にこの進行過程でその一部が光ファイバーの外周面などで半径外方向へ反射されて全周面から放射されるようになされている。【００２０】  そして、この導光照明棒体６は下側管部材５の下端部に固定させるのであり、具体的には導光照明棒体６の上部特定長さ個所６ａの周面に接着剤を塗布した後、この上部特定長さ個所６ａを下側管部材５の内孔内に密状に挿入する。【００２１】  また長さ調整手段７は任意に形成して差し支えないものであり、例えば、上側管部材４の下部に止めネジ部材９の挿入孔ａを形成すると共に、下側管部材５の長手方向個所の特定間隔位置に止めネジ部材９の先部を螺入される複数のネジ孔ｂを列設し、これらネジ孔ｂの任意な何れかに挿入孔ａを通じて止めネジ部材９を螺着することにより、上側管部材４の上端から導光照明棒体６の下端までの長さＬ１が予め特定された任意な長さとなされた状態の下で上側管部材４と下側管部材５とが固定されるものとなされている。【００２２】  把手部２は木製で形成されたものであって、下部中央個所を上側管部材４の上端部に取り外し可能にネジ固定されており、また把手部２にはこれの前端面個所に電源スイッチ１０を固設され、後端面個所に電気接続雌具１１を固設されている。【００２３】  そして、上側管部材４の上部内方には、電力供給源１２をなす１．２ボルトの３個の充電用電池１２ａが直列状態に収納されると共に、これら３個の充電用電池１２ａに電気接続雌具１１から直流電流を供給するための電気回路１３が形成されている。この際、充電用電池１２ａは把手部２を上側管部材４から取り外すことにより交換できるようになされる。【００２４】  また下側管部材５の内方で導光照明棒部材５の上端面６ｂ個所にはＬＥＤ１４が固定されており、このランプ１４は電気供給回路１５を介して充電用電池１２ａから電力を供給されると共に自身の発した光が導光照明棒部材６の上端面６ｂを経て先方ｆ１へ向かうものとなされている。この際、電気供給回路１５には前記電源スイッチ１０が組み込まれており、この電源スイッチ１０を押して入り操作することによりＬＥＤ１４に電力が供給され、再び押して切り操作することによりＬＥＤ１���への電力供給が遮断される。【００２５】  滑り止め冠部材３はゴム材で形成されたものであり、中心部の杖長手方向個所に直状の先端透孔３ａを形成されると共に導光照明棒部材６の先端部に接着剤を介して嵌着されている。なお図中、１６は上側管部材４の下端に嵌着された樹脂製の筒状覆い部材である。【００２６】  次に上記した杖の使用例及び作用について説明する。
充電用電池１２ａには予め充電しておくのであり、充電に際しては例えばアダプターを電気雌接続部１１に接続させることにより、１００ボルトの商用交流電源から適当電圧の直流電流を得て充電用電池１２ａに供給する。【００２７】  杖使用者は一方の手で把手部２を把持して棒状体１を起立させ滑り止め冠部材３を地面に押し当てるように使用するのであり、この点では従来と変わりない。
そして、暗い場所などでは必要に応じ切り状態の電源スイッチ１０を押し操作するのであり、これにより電源スイッチ１０は入り状態となり、ＬＥＤ１４は電気供給回路１５を通じて充電用電池１２ａから電力を供給されて光を発する。ＬＥＤ１４の発した光は導光照明棒部材６の照明部６ｃの全周面から放射されると共に光ファイバー８を通じて効率よく滑り止め冠部材３の透孔３ａ内に到達する。【００２８】  この際、照明部６ｃの全周面から放射される光は杖使用中における棒状体１の先部の周囲地面を３ｗ程度の明るさで照らし、杖使用者の足元の視界を良好となして杖使用者の歩行を容易となすのであり、また滑り止め冠部材３の透孔３ａ内に達した光は照明部６ｃから放射される光よりもさらに強いものとなるため、把手部２を把持した手で棒状体１の向きを斜め向きとすることにより透孔３ａのさらに前方を照射するものとなって、杖使用者の周囲の特定範囲個所を特に明るく照らし、この特定範囲個所における障害物の的確な認識を可能となす。また照明部６ｃから放射される光が杖使用者の存在を他人に認識させる上で寄与することは言うまでもない。
そして、入り状態の電源スイッチ１０をさらに押し操作すると、電源スイッチ１０は切り状態となり、ＬＥＤ１４は光を発しない状態となる。【００２９】  杖使用中には滑り止め冠部材３が衝撃的に地面に押し当てられる現象が繰り返されるのであり、このとき導光照明棒体６の照明部６ｃには杖長さ方向と直交した軸回りの曲げ力が作用するが、照明部６ｃの長さが凡そ５ｃｍ〜１０ｃｍ程度となされているため、導光照明棒体６はその直径が例えば凡そ１５ｍｍ〜２０ｍｍ程度となされていてもこの曲げ力に対して十分に耐えるものとなる。【００３０】  また滑り止め冠部材３がゴム材で形成されているため、これが地面に衝撃的に押し当てられたときの衝撃が効果的に緩和されるのであり、これによっても導光照明棒体６やＬＥＤ１４の損傷は抑制されるのである。【００３１】  上記実施例は次のように変形できる。
即ち、図４に示すように、導光照明棒体６の複数の半径面６ｄを、表面が鏡面となされた反射面となすと共に各反射面の表面に長手方向へ向かう凹凸を設ける。このようにすれば、ＬＥＤ１４の光が反射面に反射されることにより導光照明棒体６の周面から外方へ放射される光の明るさが向上する。【００３２】  また上記実施例では導光照明棒体６の上端面６ｂ側にＬＥＤ１４を設けたが、これに代えて導光照明棒体６の下端面側にのみ或いは上端面６ｂ側及び下端面側の双方にＬＥＤ１４を設けることも差し支えない。このようにすれば、導光照明棒体６の周面から外方へ放射される光の明るさや、透孔３ａから前方へ出射される光の明るさが合理的に向上するものとなる。【００３３】  さらには導光照明棒体６に光ファイバー８を埋設しないで、該光ファイバー８の代わりに導光照明棒体６の杖長手方向ｆ１中心個所に直径数ｍｍ程度の直状透孔を設け、該直状透孔は周面を鏡面となされ且つ、断面形状を星形になすなどにより周面に杖長手方向ｆ１へ向かう凹凸の形成された直状透孔となすことも差し支えない。
このようにすれば、ＬＥＤ１４の光が前記直状透孔を通じて効果的に杖先方へ放射され、また該直状透孔の外周面でＬＥＤ１４の光が反射されて導光照明棒体６の照明部６ｃからその半径方向へ効果的に放射されるようになる。
【図面の簡単な説明】
【００３４】
【図１】本発明に係る照明杖の一実施例を示す図である。
【図２】前記照明杖の棒状体の一部を示す図である。
【図３】前記照明杖の導光照明棒体を示しＡは側面図でＢは正面図である。
【図４】前記導光照明棒体の変形例を示すものでその長手方向と直交した面で切断した状態を示す断面図である。
【符号の説明】
【００３５】１  棒状体
２  把手部
３  滑り止め冠部材
３ａ  透孔
４  管部材
５  管部材
６  導光照明棒体
６ｂ  上端面
６ｃ  照明部（特定長さ範囲個所）
８  光ファイバー
１４  ＬＥＤ（発光ダイオード）
【図１】
2005230487.tif 000003
【図２】
2005230487.tif 000004
【図３】
2005230487.tif 000005
【図４】
2005230487.tif 000006